(57)【特許請求の範囲】
【請求項１】
ローカルのセルの基地局が、防止アップリンクリソースを決定するステップであって、前記防止アップリンクリソースは、ローカルのセルと近隣のセルの間でローカルのセルの基地局および近隣のセルの基地局によって設定され、干渉の防止または共有されたリソースの調整を行うように前記近隣のセルに指示するために使用されるアップリンクリソースである、ステップと、
前記ローカルのセルの基地局が、前記防止アップリンクリソースに従ってユーザ機器をスケジューリングするステップとを含むリソース調整処理のための方法。
【請求項２】
前記ローカルのセルが干渉を被るセルであり、前記近隣のセルが干渉をもたらすセルであるときに、前記防止アップリンクリソースを決定する前記ステップであって、前記防止アップリンクリソースは、前記ローカルのセルと前記近隣のセルの間で設定され、干渉の防止または共有されたリソースの調整を行うように前記近隣のセルに指示するために使用される前記アップリンクリソースである、前記ステップが、
前記干渉を被るセルが前記防止アップリンクリソースを使用するときに、前記干渉をもたらすセルが、前記干渉を被るセルに対して干渉が引き起こされると判定し、前記防止アップリンクリソースを使用することを避けるように前記防止アップリンクリソースを決定するステップを含む請求項1に記載のリソース調整処理のための方法。
【請求項３】
前記防止アップリンクリソースは、前記ローカルのセルの防止アップリンクリソース、前記近隣のセルの防止アップリンクリソース、または共通の予約されたリソースである請求項1または2に記載のリソース調整処理のための方法。
【請求項４】
前記防止アップリンクリソースを決定する前記ステップが、
運用・管理・保守(OAM)サーバが、前記ローカルのセルおよび前記近隣のセルのための前記防止アップリンクリソースを構成するステップ、または前記ローカルのセルおよび前記近隣のセルが、近隣のセルの間の直接的もしくは間接的なシグナリングによって前記防止アップリンクリソースをネゴシエーションするステップ、または前記ローカルのセルおよび前記近隣のセルが、物理セル識別情報に従って計算を行うことによって前記防止アップリンクリソースを得るステップを含む請求項3に記載のリソース調整処理のための方法。
【請求項５】
前記物理セル識別情報に従って計算を行うことによって前記防止アップリンクリソースを得る前記ステップが、
特定の順序で前記セルのすべての予約されたアップリンクリソースを配列し、前記セルの前記物理セル識別情報を前記セルの前記予約されたアップリンクリソースの数で割ってモジュラスを取得するステップであって、前記モジュラスに対応する予約されたアップリンクリソースが前記防止アップリンクリソースである、ステップを含む請求項4に記載のリソース調整処理のための方法。
【請求項６】
防止ダウンリンクリソースを決定するステップをさらに含み、前記防止ダウンリンクリソースを決定する前記ステップが、
前記OAMサーバが、前記ローカルのセルおよび前記近隣のセルのための前記防止ダウンリンクリソースを構成するステップ、または前記ローカルのセルおよび前記近隣のセルが、近隣のセルの間の直接的もしくは間接的なシグナリングによって前記防止ダウンリンクリソースをネゴシエーションするステップ、または前記ローカルのセルおよび前記近隣のセルが、物理セル識別情報に従って計算を行うことによって前記防止ダウンリンクリソースを得るステップを含む請求項5に記載のリソース調整処理のための方法。
【請求項７】
前記物理セル識別情報に従って計算を行うことによって前記防止ダウンリンクリソースを得る前記ステップが、
特定の順序で前記セルのすべての予約されたダウンリンクリソースを配列し、前記セルの前記物理セル識別情報を前記セルの前記予約されたダウンリンクリソースの数で割ってモジュラスを取得するステップであって、前記モジュラスに対応する予約されたダウンリンクリソースが前記防止ダウンリンクリソースである、ステップを含む請求項6に記載のリソース調整処理のための方法。
【請求項８】
前記防止アップリンクリソースを決定する前記ステップが、
前記近隣のセルの前記物理セル識別情報に従って近隣セル情報テーブルから前記近隣のセルの前記防止アップリンクリソースを取得するステップであって、前記近隣セル情報テーブルは、前記近隣のセルの前記物理セル識別情報と前記近隣のセルの前記防止アップリンクリソースの間のマッピングの関係を記憶する、ステップを含み、および/または
前記防止ダウンリンクリソースを決定する前記ステップが、
前記近隣のセルの前記物理セル識別情報に従って前記近隣セル情報テーブルから前記近隣のセルの前記防止ダウンリンクリソースを取得するステップであって、前記近隣セル情報テーブルは、前記近隣のセルの前記物理セル識別情報と前記近隣のセルの前記防止ダウンリンクリソースの間のマッピングの関係を記憶する、ステップを含む請求項6または7に記載のリソース調整処理のための方法。
【請求項９】
前記防止アップリンクリソースが、周波数領域のリソースまたは時間領域のリソースであり、および/または
前記防止ダウンリンクリソースが、周波数領域のリソースまたは時間領域のリソースである請求項6から8のいずれかに記載のリソース調整処理のための方法。
【請求項１０】
前記防止アップリンクリソースが、予約された周波数領域の範囲、予約された物理リソースブロック、および予約されたサブフレームのうちの1つであり、および/または
前記防止ダウンリンクリソースが、予約された周波数領域の範囲、予約された物理リソースブロック、および予約されたサブフレームのうちの1つである請求項6から9のいずれかに記載のリソース調整処理のための方法。
【請求項１１】
前記防止ダウンリンクリソースと前記防止アップリンクリソースとが互いに関連付けられ、前記ローカルのセルがリソースの所有者のセルであり、前記近隣のセルがリソースの共有者のセルであるとき、前記方法が、
前記リソースの所有者のセルが、前記防止ダウンリンクリソースに従って前記ユーザ機器をスケジューリングし、前記リソースの共有者のセルが、前記防止ダウンリンクリソースを用いて前記リソースの共有者のセルのユーザ機器をスケジューリングすることを避けるステップをさらに含むか、または
前記ローカルのセルが干渉を被るセルであり、前記近隣のセルが干渉をもたらすセルであるとき、前記方法が、
前記干渉を被るセルが、前記防止ダウンリンクリソースに従って前記ユーザ機器をスケジューリングし、前記干渉をもたらすセルが、前記防止ダウンリンクリソースを用いて前記干渉をもたらすセルのユーザ機器をスケジューリングすることを避けるステップをさらに含む請求項6から10のいずれかに記載のリソース調整処理のための方法。
【請求項１２】
前記近隣のセルは、限定加入者グループのセル、アクセスが禁止されたセル、ハンドオーバの関係がないセル、周波数リソースの共有者のセル、モバイル中継セル、または低電力セルである請求項1から11のいずれかに記載のリソース調整処理のための方法。
【請求項１３】
前記近隣のセルが、前記ユーザ機器によって使用された前記防止アップリンクリソースを検出するステップと、
前記近隣のセルが、前記ユーザ機器によって使用された前記防止アップリンクリソースに従ってダウンリンクの送信電力を削減し、および/または前記防止ダウンリンクリソース以外のリソースを用いて前記ユーザ機器をスケジューリングするステップをさらに含む請求項6から12のいずれかに記載のリソース調整処理のための方法。
【請求項１４】
防止アップリンクリソースを決定するように構成された第1の決定モジュールであって、前記防止アップリンクリソースは、ローカルのセルと近隣のセルの間で設定され、干渉の防止または共有されたリソースの調整を行うように前記近隣のセルに指示するために使用されるアップリンクリソースである、第1の決定モジュールと、
前記第1の決定モジュールによって決定された前記防止アップリンクリソースに従ってユーザ機器をスケジューリングするように構成された第1のスケジューリングモジュールとを含むリソース調整処理のためのデバイス。
【請求項１５】
前記第1の決定モジュールが、
前記ローカルのセルがリソースの所有者のセルであり、前記近隣のセルがリソースの共有者のセルであるときに前記防止アップリンクリソースを決定するように構成された第1の決定ユニットであって、前記防止アップリンクリソースは、前記リソースの所有者のセルと前記リソースの共有者のセルの間で設定され、前記リソースの所有者のセルが前記防止アップリンクリソースを使用するときに前記防止アップリンクリソースを使用することを避けるように前記リソースの共有者のセルに指示するために使用される、第1の決定ユニット、または
前記ローカルのセルが干渉を被るセルであり、前記近隣のセルが干渉をもたらすセルである場合、前記干渉を被るセルが前記防止アップリンクリソースを使用するときに、前記干渉をもたらすセルが、前記干渉を被るセルに対して干渉が引き起こされると判定し、前記防止アップリンクリソースを使用することを避けるように前記防止アップリンクリソースを決定するように構成された第2の決定ユニットを含む請求項14に記載のリソース調整処理のためのデバイス。
【請求項１６】
前記ローカルのセルが干渉を被るセルであり、前記近隣のセルが干渉をもたらすセルである場合、
前記ユーザ機器によって送信された測定レポートを受信し、前記ユーザ機器に対して干渉が引き起こされることを、前記測定レポートによって判定するように構成された干渉判定モジュールをさらに含む請求項15に記載のリソース調整処理のためのデバイス。
【請求項１７】
防止ダウンリンクリソースを決定するように構成された第2の決定モジュールであって、前記防止ダウンリンクリソースは、前記ローカルのセルの防止ダウンリンクリソース、前記近隣のセルの防止ダウンリンクリソース、または共通の予約されたリソースであり、前記防止アップリンクリソースは、前記ローカルのセルの防止アップリンクリソース、前記近隣のセルの防止アップリンクリソース、または共通の予約されたリソースである、第2の決定モジュールと、
前記第2の決定モジュールによって決定された前記防止ダウンリンクリソースに従って前記ユーザ機器をスケジューリングするように構成された第2のスケジューリングモジュールとをさらに含む請求項15または16に記載のリソース調整処理のためのデバイス。
【請求項１８】
前記ローカルのセルおよび前記近隣のセルのためにOAMサーバによって構成された前記防止アップリンクリソースを受信し、かつ/または前記ローカルのセルおよび前記近隣のセルのために前記OAMサーバによって構成された前記防止ダウンリンクリソースを受信するように構成された受信モジュール、あるいは
近隣のセルの間の直接的もしくは間接的なシグナリングによって前記ローカルのセルおよび前記近隣のセルのための前記防止アップリンクリソースをネゴシエーションし、かつ/または近隣のセルの間の直接的もしくは間接的なシグナリングによって前記ローカルのセルおよび前記近隣のセルのための前記防止ダウンリンクリソースをネゴシエーションするように構成されたリソースネゴシエーションモジュール、あるいは
物理セル識別情報に従って計算を行うことによって前記防止アップリンクリソースを取得し、かつ/または前記物理セル識別情報に従って計算を行うことによって前記防止ダウンリンクリソースを取得するように構成された計算モジュールをさらに含む請求項15から17のいずれかに記載のリソース調整処理のためのデバイス。
【請求項１９】
前記近隣のセルの前記物理セル識別情報と前記近隣のセルの前記防止アップリンクリソースの間のマッピングの関係を記憶し、かつ/または前記近隣のセルの前記物理セル識別情報と前記近隣のセルの前記防止ダウンリンクリソースの間のマッピングの関係を記憶するように構成された近隣セル情報テーブルをさらに含む請求項15から18のいずれかに記載のリソース調整処理のためのデバイス。
【発明の詳細な説明】
【技術分野】
【０００１】
本出願は、2010年9月30日に中国専利局に出願した、「METHOD, DEVICE, AND BASE STATION FOR RESOURCE COORDINATION PROCESSING」と題した中国特許出願第201010512002.0号の優先権を主張するものであり、この特許出願は、その全体が参照により本明細書に組み込まれている。
【０００２】
本発明の実施形態は、干渉防止技術に関し、詳細には、リソース調整処理のための方法、デバイス、および基地局に関する。
【背景技術】
【０００３】
同じカバレッジの地理的範囲内で、無線通信ネットワークシステムの(カバレッジ、セルの平均スループット、セル端のスループット、およびアップリンク/ダウンリンクのスペクトルの利用を含む)性能の要件を改善するために、異なる送信電力を有するかまたは異なるアクセスの種類を使用する基地局が配置され、異種でマルチレイヤのカバレッジを形成する可能性がある。
【０００４】
例えば、ロングタームエボリューション(Long Term Evolution、略してLTE)システムにおいては、(マクロeNodeBなどの)マクロセルの基地局および低電力基地局(ホームeNodeB、マイクロeNodeB、ピコeNodeB、中継eNodeB、またはRRHなどのアクセスポイント)が、マクロセルの基地局のカバレッジの範囲内のホットスポットのカバレッジ、屋内の電波の届かない場所(または電波の弱い場所)のカバレッジ、およびマクロ基地局のセル端のカバレッジを広げ、セルの平均スループット、セル端のスループット、およびセルのアップリンク/ダウンリンクのスペクトルの利用を改善し、運用者のネットワークの経費および資本支出CAPEX(capital expenditure)を削減するためなどに使用される異種ネットワークを形成する。
【０００５】
干渉制御技術において次第に大きな課題となっているネットワークの配置のますますの複雑化と、さらにシステムにおける干渉のますますの深刻化とが原因で、一部の低電力基地局は、マクロネットワークとのシグナリングインターフェースを確立できず、干渉の調整のための基地局間のICIC(セル間干渉調整(inter-cell interference coordination))技術を使用することができない。加えて、ICICの対応するシグナリングは、基地局間のインターフェースにシグナリングの負荷をもたらす。
【０００６】
通常、セル間の干渉は、以下の場合を含み得る。1.  ユーザ機器(User Equipment、略してUE)が、そのユーザ機器がアクセス権を持たない限定加入者グループ(closed subscriber group、略してCSG)に近づくときに干渉が生じ、UEが、限定加入者グループのセルに近づくとき、CSGのセルからの信号は非常に強いが、UEはアクセス権を持っておらず、ハンドオーバによりそのCSGのセルにアクセスすることができないので、UEに対して強い干渉が生じ、サービス品質に影響を与えるか、呼の切断を引き起こし、ユーザエクスペリエンスが損なわれる。さらに、上記の干渉の場合は、UEが、その他のアクセスを制限されたセル、例えば、運用者がアクセスを禁止するセル、または(近隣セル関係テーブル(neighboring cell relation table)において"HOなし  ハンドオーバなし(No HO no handover)"として構成された)禁止されたハンドオーバの関係にあるセルに近づくときにも起こり得る。UEがアクセスを制限されたセルに近づくとき、上記の場合が起こり得る。2.  UEがハンドオーバによってアクセスすることをサービングセルが望まないセルにUEが近づくとき、目標セルの信号は非常に強いが、いくつかの考慮すべき事項(ピンポンハンドオーバ(ping-pong handover)、高速の入ってくるハンドオーバ(incoming handover)および出て行くハンドオーバ(outgoing handover)、過負荷、ならびに負荷分散)のために、UEがハンドオーバによって目標セルにアクセスすることをサービングセルが望まず、その代わりに、UEは引き続きサービングセルによってサービスを受ける。この場合、目標セルの信号が非常に強いので、強い干渉が引き起こされ、それがサービス品質に影響を与え、さらには呼の切断を引き起こし、ユーザエクスペリエンスが損なわれる。3.  マクロセルによってサービスを受けるUEが低電力セルに近づくとき、低電力セルのカバレッジの範囲が狭く、UEがマクロセルよりも低電力セルにずっと近くなるので、UEのアップリンク信号が、低電力セルに対して深刻な干渉を引き起こす。4.  周波数リソースは非常に貴重であるので、2つの運用者が周波数を共有することによってより多くのリソースを得る可能性があり、したがって、相手側の周波数を共有することによってより多くの無線リソースを提供する可能性がある。しかし、共有される周波数の所有者は、周波数を使用するより高い優先度を有しており、共有者は、所有者がその周波数を使用するとき、その周波数を使用することを避けるべきである。周波数リソースの使用をどのようにして自動的にネゴシエーションするかが、問題である。5.  現在、端末は、複数のアクセス技術を同時にサポートすることができ、それらのアクセス技術が同じ周波数を使用する可能性があり、端末が複数のアクセス技術を同時に使用するとき、同じ無線リソースが2つのシステムによってスケジューリングされると、強い干渉がUEに対して引き起こされ、サービス品質に影響を与え、さらには呼の切断を引き起こし、ユーザエクスペリエンスが損なわれる。
【０００７】
結論として、従来技術は、通信システムにおいてUEが受ける干渉の問題を効果的に防止することができない。
【発明の概要】
【発明が解決しようとする課題】
【０００８】
本発明の実施形態は、近隣のセルの間のリソースの調整およびスケジューリングを実施し、近隣のセルの間の干渉を効果的に防止するために、リソース調整処理のための方法、デバイス、および基地局を提供する。
【課題を解決するための手段】
【０００９】
本発明の一実施形態は、
防止アップリンクリソース(avoided uplink resource)を決定するステップであって、防止アップリンクリソースは、ローカルのセルと近隣のセルの間で設定され、干渉の防止または共有されたリソースの調整を行うように近隣のセルに指示するために使用されるアップリンクリソースである、ステップと、
防止アップリンクリソースに従ってユーザ機器をスケジューリングするステップとを含むリソース調整処理のための方法を提供する。
【００１０】
本発明は、
近隣のセルのユーザ機器によって使用された防止アップリンクリソースを検出するステップであって、防止アップリンクリソースは、ローカルのセルと近隣のセルの間で設定され、干渉の防止または共有されたリソースの調整を行うようにローカルのセルに指示するために使用されるアップリンクリソースである、ステップと、
ユーザ機器によって使用された防止アップリンクリソースに従ってユーザ機器に対する干渉の防止または共有されたリソースの調整を行うステップとを含むリソース調整処理のための方法をさらに提供する。
【００１１】
本発明は、
ユーザ機器に対してダウンリンクの干渉が引き起こされることを検出した後、干渉をもたらすセルの物理セル識別情報(physical cell identity)に従って干渉をもたらすセルの空きダウンリンクリソースを取得するステップと、
干渉をもたらすセルの空きダウンリンクリソースに従ってユーザ機器をスケジューリングするステップとを含むリソース調整処理のための方法をさらに提供する。
【００１２】
本発明は、
干渉が発生するときに、干渉を被るセルによって割り当てられた防止ダウンリンクリソース(avoided downlink resource)に従って通信を行うステップと、
干渉インジケータ(interference indicator)を運ぶ干渉指示メッセージを干渉をもたらすセルの基地局に送信するステップであって、干渉インジケータは、通信システムによって予め設定され、防止ダウンリンクリソースを用いて干渉をもたらすセルのユーザ機器をスケジューリングすることを避けるように干渉をもたらすセルに指示するために使用されるインジケータである、ステップとを含むリソース調整処理のための方法をさらに提供する。
【００１３】
本発明は、
干渉インジケータを運ぶ干渉指示メッセージをユーザ機器から受信するステップであって、干渉インジケータは、通信システムによって予め設定され、防止ダウンリンクリソース以外のリソースを用いて干渉をもたらすセルのユーザ機器をスケジューリングするように干渉をもたらすセルに指示するために使用されるインジケータである、ステップと、
干渉指示メッセージに従って、防止ダウンリンクリソース以外のリソースを用いて干渉をもたらすセルのユーザ機器をスケジューリングするステップとを含むリソース調整処理のための方法をさらに提供する。
【００１４】
本発明は、
防止アップリンクリソースを決定するように構成された第1の決定モジュールであって、防止アップリンクリソースは、ローカルのセルと近隣のセルの間で設定され、干渉の防止または共有されたリソースの調整を行うように近隣のセルに指示するために使用されるアップリンクリソースである、第1の決定モジュールと、
第1の決定モジュールによって決定された防止アップリンクリソースに従ってユーザ機器をスケジューリングするように構成された第1のスケジューリングモジュールとを含むリソース調整処理のためのデバイスをさらに提供する。
【００１５】
本発明は、
ユーザ機器によって使用された防止アップリンクリソースを検出するように構成された検出モジュールであって、防止アップリンクリソースは、ローカルのセルと近隣のセルの間で設定され、干渉の防止または共有されたリソースの調整を行うように近隣のセルに指示するために使用されるアップリンクリソースである、検出モジュールと、
ユーザ機器によって使用され、検出モジュールによって検出された防止アップリンクリソースに従ってユーザ機器に対する干渉の防止または共有されたリソースの調整を行うように構成された第3のスケジューリングモジュールとを含むリソース調整処理のためのデバイスをさらに提供する。
【００１６】
本発明は、
ユーザ機器に対してダウンリンクの干渉が引き起こされると判定した後、干渉をもたらすセルの物理セル識別情報に従って干渉をもたらすセルの空きダウンリンクリソースを取得するように構成されたダウンリンクリソース取得モジュールと、
ダウンリンクリソース取得モジュールによって取得される干渉をもたらすセルの空きダウンリンクリソースに従ってユーザ機器をスケジューリングするように構成された第4のスケジューリングモジュールとを含むリソース調整処理のためのデバイスをさらに提供する。
【００１７】
本発明は、
干渉インジケータを運ぶ干渉指示メッセージをユーザ機器から受信するように構成された受信モジュールであって、干渉インジケータは、通信システムによって予め設定され、防止ダウンリンクリソースを用いて干渉をもたらすセルのユーザ機器をスケジューリングすることを避けるように干渉をもたらすセルに指示するために使用されるインジケータである、受信モジュールと、
受信モジュールによって受信された干渉指示メッセージに従って、防止ダウンリンクリソースを用いて干渉をもたらすセルのユーザ機器をスケジューリングすることを避けるように構成された第5のスケジューリングモジュールとを含むリソース調整処理のためのデバイスをさらに提供する。
【００１８】
本発明は、
干渉が発生するときに、干渉を被るセルによって割り当てられた防止ダウンリンクリソースに従って通信を行うように構成された通信モジュールと、
干渉インジケータを運ぶ干渉指示メッセージを干渉をもたらすセルの基地局に送信するように構成された指示メッセージ送信モジュールであって、干渉インジケータは、通信システムによって設定され、防止ダウンリンクリソースを用いて干渉をもたらすセルのユーザ機器をスケジューリングすることを避けるように干渉をもたらすセルに指示するために使用されるインジケータである、指示メッセージ送信モジュールとを含むユーザ機器をさらに提供する。本発明は、リソース調整処理のための上述のデバイスを含む基地局をさらに提供する。
【００１９】
本発明の実施形態によるリソース調整処理のための方法、デバイス、および基地局、ならびにユーザ機器は、干渉の防止または共有されたリソースの調整を行うように近隣のセルに指示するために使用されるアップリンクリソース、つまり、防止アップリンクリソースを設定することによって、近隣のセルの間の干渉の防止および共有されたリソースの調整を実施し、それによって、近隣のセルの間のリソースの調整およびスケジューリングを実施し、近隣のセルの間の干渉を効果的に防止することができる。
【００２０】
本発明の実施形態における技術的な解決策をより明瞭に説明するために、以下は、それらの実施形態または従来技術を説明するために必要とされる添付の図面を簡単に紹介する。明らかに、以下の説明の添付の図面は、本発明の一部の実施形態を示しており、当業者は、創造的な努力なしにこれらの添付の図面からその他の図面を導き出すことがやはり可能である。
【図面の簡単な説明】
【００２１】
【図１】本発明によるリソース調整処理のための方法の第1の実施形態の概略的な流れ図である。
【図２】本発明によるリソース調整処理のための方法の第2の実施形態の概略的な流れ図である。
【図３】本発明によるリソース調整処理のための方法の第3の実施形態の概略的な流れ図である。
【図４】本発明によるリソース調整処理のための方法の第4の実施形態の概略的な流れ図である。
【図５】本発明によるリソース調整処理のための方法の第5の実施形態の概略的な流れ図である。
【図６】本発明によるリソース調整処理のための方法の第6の実施形態の概略的な流れ図である。
【図７】本発明によるリソース調整処理のための方法の第7の実施形態の概略的な流れ図である。
【図８Ａ】本発明の一実施形態によるリソースグループの第1の概略図である。
【図８Ｂ】本発明の一実施形態によるリソースグループの第2の概略図である。
【図８Ｃ】本発明の一実施形態によるリソースグループの第3の概略図である。
【図９Ａ】本発明の一実施形態によるリソースグループの第4の概略図である。
【図９Ｂ】本発明の一実施形態によるリソースグループの第5の概略図である。
【図１０】本発明によるリソース調整処理のための方法の第8の実施形態の概略的な流れ図である。
【図１１】本発明の一実施形態による無線リソースの関連付けの概略図である。
【図１２】本発明によるリソース調整処理のための方法の第9の実施形態の概略的な流れ図である。
【図１３】本発明によるリソース調整処理のための方法の第10の実施形態の概略的な流れ図である。
【図１４】本発明によるリソース調整処理のための方法の第11の実施形態の概略的な流れ図である。
【図１５】本発明によるリソース調整処理のための方法の第12の実施形態の概略的な流れ図である。
【図１６】本発明によるリソース調整処理のための方法の第13の実施形態の概略的な流れ図である。
【図１７】本発明によるリソース調整処理のためのデバイスの第1の実施形態の概略的な構造図である。
【図１８】本発明によるリソース調整処理のためのデバイスの第2の実施形態の概略的な構造図である。
【図１９】本発明によるリソース調整処理のためのデバイスの第3の実施形態の概略的な構造図である。
【図２０】本発明によるリソース調整処理のためのデバイスの第4の実施形態の概略的な構造図である。
【図２１】本発明によるリソース調整処理のためのデバイスの第5の実施形態の概略的な構造図である。
【発明を実施するための形態】
【００２２】
本発明の実施形態の目的、技術的な解決策、および利点をより分かりやすくするために、以下は、本発明の実施形態の技術的な解決策を本発明の実施形態の添付の図面を参照して明瞭に説明する。明らかに、説明される実施形態は、本発明の実施形態のすべてではなく一部であるに過ぎない。創造的な努力なしに本発明の実施形態に基づいて当業者によって得られたすべてのその他の実施形態は、本発明の保護範囲内に入る。
【００２３】
本発明の一実施形態は、リソース調整処理のための方法を提供する。方法においては、干渉の防止または共有されたリソースの調整を行うように近隣のセルに指示するために使用されるアップリンクリソース、つまり、防止アップリンクリソースが、ローカルのセルと近隣のセルの間で設定され、したがって、ローカルのセルが、防止アップリンクリソースを決定し、防止アップリンクリソースに従ってユーザ機器をスケジューリングする。主に2つの場合が関連する。1.  干渉の防止を目的として、ローカルのセルがリソースの所有者のセルであり、近隣のセルがリソースの共有者のセルであるとき、防止アップリンクリソースは、干渉をもたらすセルと干渉を被るセルの間で設定され、干渉の防止を行うように干渉をもたらすセルに指示するために使用されるアップリンクリソースである。具体的には、ローカルのセルの近隣のセルが限定加入者グループのセル、アクセスが禁止されたセル、ハンドオーバの関係がないセル、モバイル中継セル(mobile relay cell)、または低電力セルであるとき、ローカルのセルのユーザ機器はその近隣のセルにアクセスすることができないので、近隣のセルがローカルのセルに対して干渉を引き起こし、近隣のセルは干渉をもたらすセルであり、ユーザ機器が合意された防止アップリンクリソースを用いることによってスケジューリングされた後、干渉を被るセルのユーザ機器が防止アップリンクリソースを使用することを干渉をもたらすセルが検出するとき、干渉をもたらすセルは、自身がユーザ機器に対して干渉を引き起こすと判定することができ、したがって、干渉の防止を実行することができる。防止アップリンクリソースは、干渉を被るセルが防止アップリンクリソースを使用するときに、干渉をもたらすセルが、干渉を被るセルに対して干渉が引き起こされると判定し、防止アップリンクリソースを使用することを避けるように決定される。
【００２４】
2.  周波数リソースを共有する場合、ローカルのセルが干渉を被るセルであり、近隣のセルが干渉をもたらすセルであるとき、防止アップリンクリソースは、リソースの所有者のセルとリソースの共有者のセルの間で予め設定され、共有されたリソースの調整を行う(つまり、共有されたリソースを使用することを避ける)ようにリソースの共有者のセルに指示するために使用されるアップリンクリソースである。リソースの所有者のセルが得られた防止アップリンクリソースを用いてユーザ機器をスケジューリングすることをリソースの共有者のセルが検出した後、リソースの共有者のセルは、共有された周波数リソースの使用におけるリソースの所有者のセルとの衝突を避けるために共有されたリソースの調整を行うことができ、その結果、リソースの所有者のセルが共有された周波数リソースを優先的に使用し、したがって、干渉が防止される。
【００２５】
本発明の上述の実施形態において、防止アップリンクリソースは、ローカルのセルの防止アップリンクリソースであるか、または近隣のセルの防止アップリンクリソースであるか、または共通の予約されたリソースである可能性がある。防止アップリンクリソースが共通の予約されたリソースであるとき、防止アップリンクリソースは、運用・管理・保守(Operation Administration Maintenance、OAM)サーバによって予め構成され得る。つまり、防止アップリンクリソースを決定することは、OAMサーバによって、ローカルのセルおよび近隣のセルのための防止アップリンクリソースを構成すること、またはローカルのセルおよび近隣のセルによって、近隣のセルの間の直接的もしくは間接的なシグナリングによって防止アップリンクリソースをネゴシエーションすること、またはローカルのセルおよび近隣のセルによって、物理セル識別情報に従って計算を行うことによって防止アップリンクリソースを得ることであってもよい。
【００２６】
加えて、防止ダウンリンクリソースを決定することは、やはり、OAMサーバによって、ローカルのセルおよび近隣のセルのための防止ダウンリンクリソースを構成すること、またはローカルのセルおよび近隣のセルによって、近隣のセルの間の直接的もしくは間接的なシグナリングによって防止ダウンリンクリソースをネゴシエーションすること、またはローカルのセルおよび近隣のセルによって、物理セル識別情報に従って計算を行うことによって防止ダウンリンクリソースを得ることであってもよい。
【００２７】
本発明の上述の実施形態において、干渉を防止する場合には、干渉が起こった場合、方法は、ユーザ機器に対してダウンリンクの干渉が引き起こされることを判定するステップをさらに含み得る。具体的には、このステップは、ユーザ機器によって送信された測定レポートを受信し、ユーザ機器に対してダウンリンクの干渉が引き起こされることを、測定レポートによって判定することであってもよい。
【００２８】
加えて、本発明の上述の実施形態において、防止アップリンクリソースを取得するとき、方法は、ローカルのセルの防止ダウンリンクリソースまたは近隣のセルの防止ダウンリンクリソースを取得するステップをさらに含む可能性があり、リソースを共有する場合、ローカルのセルがリソースの所有者のセルであり、近隣のセルがリソースの共有者のセルであり、干渉を防止する場合、ローカルのセルが干渉を被るセルであり、近隣のセルが干渉をもたらすセルである。さらに、防止アップリンクリソースに従ってスケジューリングする場合、ローカルのセルは、さらに、防止ダウンリンクリソースに従ってユーザ機器をスケジューリングする可能性がある。具体的には、干渉を被るセルのユーザ機器に対して干渉が引き起こされるとき、図1に示されるように、方法は以下のステップを含む。
【００２９】
ステップ101:  ユーザ機器に対してダウンリンクの干渉が引き起こされることを検出した後、干渉を被るセルの基地局が、防止アップリンクリソースを取得し、防止アップリンクリソースは、干渉をもたらすセルと干渉を被るセルの間で予め設定され、干渉が起こるときに使用されるアップリンクリソースである。具体的には、このステップは、以下のようになる可能性がある。ユーザ機器が、測定レポートによって干渉を被るセルの基地局に測定レポートを送信し、次いで、干渉を被るセルの基地局が、ユーザ機器に対するダウンリンクの干渉が引き起こされることを、測定レポートによって判定し、防止アップリンクリソースを取得する。
【００３０】
ステップ102:  干渉を被るセルの基地局が、防止アップリンクリソースに従ってユーザ機器をスケジューリングする。干渉を被るセルの基地局は、防止アップリンクリソースを用いてユーザ機器をスケジューリングし、つまり、ユーザ機器は、防止アップリンクリソースを用いて干渉を被るセルの基地局と通信する。その結果、防止アップリンクリソースを検出するとき、干渉をもたらすセルの基地局は、ユーザ機器に対してダウンリンクの干渉が引き起こされることを知り、さらに、干渉の防止を行ってユーザ機器に対する干渉を引き起こすことを防止することができる。その方法は、干渉をもたらすセルの基地局の送信電力を削減すること、または、干渉をもたらすセルの基地局によって、ユーザ機器に対する干渉を引き起こさないリソースを用いて干渉をもたらすセルのユーザ機器をスケジューリングすることであってもよい。
【００３１】
具体的には、防止アップリンクリソースは、干渉を被るセルのために予約され、干渉をもたらすセルの基地局に前もって知らされたアップリンクリソースである可能性があり、または干渉をもたらすセルのために予約され、干渉を被るセルの基地局に前もって知らされたアップリンクリソースである可能性があり、または使用される共通のアップリンクリソースである可能性がある。干渉を被るセルのユーザ機器に対して干渉が引き起こされるとき、本発明の上述の実施形態は、スケジューリングに防止アップリンクリソースを使用して、措置を講じるように干渉をもたらすセルの基地局に指示することによって、ユーザ機器に対して引き起こされる干渉を防止することができる。
【００３２】
上述の実施形態に対応して、反対側、すなわち、干渉を防止する場合の干渉をもたらすセルおよびリソースを共有する場合のリソースの共有者のセルにおいて、方法は、以下のステップ、すなわち、近隣のセルのユーザ機器によって使用された防止アップリンクリソースを検出するステップであって、防止アップリンクリソースは、ローカルのセルと近隣のセルの間で予め設定され、干渉の防止または共有されたリソースの調整を行うようにローカルのセルに指示するために使用されるアップリンクリソースである、ステップと、ユーザ機器によって使用された防止アップリンクリソースに従ってユーザ機器に対する干渉の防止または共有されたリソースの調整を行うステップとを含む。
【００３３】
具体的には、干渉を防止する場合、防止アップリンクリソースは、干渉をもたらすセルと干渉を被るセルの間で予め設定され、干渉の防止を行うように干渉をもたらすセルに指示するために使用されるアップリンクリソースであり、ユーザ機器によって使用された防止アップリンクリソースに従ってユーザ機器に対する干渉の防止を行うステップは、干渉をもたらすセルの基地局のダウンリンクの送信電力を削減すること、またはユーザ機器によって使用された防止アップリンクリソースに従って関連する防止ダウンリンクリソースを取得し、防止ダウンリンクリソース以外のリソースを用いて干渉をもたらすセルのユーザ機器をスケジューリングすることであって、防止ダウンリンクリソースは、干渉をもたらすセルの防止ダウンリンクリソース、干渉を被るセルの防止ダウンリンクリソース、または共通の予約されたリソースである、スケジューリングすることを含む。
【００３４】
リソースを共有する場合、防止アップリンクリソースは、リソースの所有者のセルとリソースの共有者のセルの間で予め設定され、共有されたリソースの調整を行うようにリソースの共有者のセルに指示するために使用されるアップリンクリソースであり、ユーザ機器によって使用された防止アップリンクリソースに従う継続する共有されたリソースの調整は、ユーザ機器によって使用された防止アップリンクリソースに従って関連する防止ダウンリンクリソースを取得し、防止ダウンリンクリソース以外のリソースを用いてリソースの共有者のセルのユーザ機器をスケジューリングすることであって、防止ダウンリンクリソースは、リソースの所有者のセルの防止ダウンリンクリソース、リソースの共有者のセルの防止ダウンリンクリソース、または共通の予約されたリソースである、スケジューリングすることを含む。
【００３５】
具体的には、干渉をもたらすセルの基地局に関して、図1に対応して、本発明は、リソース調整処理のための方法を提供する。図2に示されるように、方法は、以下のステップを含む。
【００３６】
ステップ201:  干渉を被るセルのユーザ機器よって使用された防止アップリンクリソースを検出し、防止アップリンクリソースは、干渉をもたらすセルと干渉を被るセルの間で予め設定され、干渉が起こるときに使用されるアップリンクリソースである。具体的には、このステップは、上述の実施形態のステップ102に対応する。干渉を被るセルの基地局が、防止アップリンクリソースを使用することによってユーザ機器をスケジューリングするので、干渉をもたらすセルの基地局は、防止アップリンクリソースでユーザ機器によって干渉をもたらすセルに対してアップリンクの干渉が引き起こされることを検出する。
【００３７】
ステップ202:  ユーザ機器によって使用された防止アップリンクリソースに従ってユーザ機器に対する干渉防止制御を行う。
【００３８】
上述のステップにおいてアップリンクの干渉が検出された後、干渉をもたらすセルの基地局は、さらに、干渉の防止を行って干渉を防止することができる。
【００３９】
具体的には、干渉をもたらすセルの基地局のダウンリンクの送信電力が削減される可能性があり、またはユーザ機器によって使用された防止アップリンクリソースに従って防止ダウンリンクリソースが取得される可能性があり、防止ダウンリンクリソースを使用するユーザ機器に対する干渉を引き起こすことを防止するために、防止ダウンリンクリソース以外のリソースが、干渉をもたらすセルのユーザ機器をスケジューリングするために使用される。
【００４０】
この実施形態においては、防止アップリンクリソースは、干渉を被るセルのために予約され、干渉をもたらすセルの基地局に前もって知らされたアップリンクリソースである可能性があり、または干渉をもたらすセルのために予約され、干渉を被るセルの基地局に前もって知らされたアップリンクリソースである可能性があり、または使用される共通のアップリンクリソースである可能性がある。本発明の上述の実施形態によれば、干渉をもたらすセルの基地局は、干渉を被るセルのユーザ機器が防止アップリンクリソースを使用していることを検出し、したがって、さらに、干渉の防止を行ってユーザ機器に対する干渉を防止する。
【００４１】
防止アップリンクリソースは、OAMサーバによって予め構成される可能性があり、または近隣のセルの間の直接的もしくは間接的なシグナリングを通じたネゴシエーションによって取得してもよいし、セルの物理セル識別情報に従って計算を行うことによって取得してもよい。加えて、防止ダウンリンクリソースも、OAMサーバによって予め構成される可能性があり、または近隣のセルの間の直接的もしくは間接的なシグナリングを通じたネゴシエーションによって取得してもよいし、セルの物理セル識別情報に従って計算を行うことによって取得してもよい。
【００４２】
さらに、リソースが予め構成され、ネゴシエーションによって取得され、物理セル識別情報に従って計算を行うことによって取得される場合、セルの防止アップリンクリソースまたは防止ダウンリンクリソースは、近隣セル情報テーブル(neighboring cell information table)に予め記憶される可能性があり、近隣セル情報テーブルは、既存の近隣セル関係テーブルまたはその他の新たに確立された情報を使用する可能性がある。セルの物理セル識別情報に従って計算を行うことによってリソースを取得する場合、リソースは、近隣セル情報テーブルに記憶される代わりに、必要なときに計算を行うことによって取得することができる。
【００４３】
セルの物理セル識別情報に従って計算を行うことによって干渉をもたらすセルの防止アップリンクリソースまたは防止ダウンリンクリソースを取得することは、具体的には、特定の順序でセルのすべての予約されたアップリンクリソースを配列することであって、セルの物理セル識別情報をセルの予約されたアップリンクリソースの数で割ることによって得られるモジュラス(modulus)に対応する予約されたアップリンクリソースが防止アップリンクリソースとして使用される、配列すること、または特定の順序でセルのすべての予約されたダウンリンクリソースを配列することであって、セルの物理セル識別情報をセルの予約されたダウンリンクリソースの数で割ることによって得られるモジュラスに対応する予約されたダウンリンクリソースが防止ダウンリンクリソースとして使用される、配列することを含む。
【００４４】
本発明の上述の実施形態によるリソース調整処理のための方法は、ユーザ機器が干渉をもたらすセルにアクセスすることができず、干渉をもたらすセルからの干渉を被る複数の場合に適用可能である。さまざまな場合、干渉をもたらすセルは、限定加入者グループのセル、アクセスが禁止されたセル、ハンドオーバの関係がないセル、周波数リソースの共有者のセル、モバイル中継セル、または低電力セルである可能性がある。図3は、UEが、そのUEがアクセス権を持たないCSGのセルに近づくときに、UEに対してCSGのセルによって引き起こされるダウンリンクの干渉の問題を示す。
【００４５】
ステップ301:  1つまたは複数のUL(アップリンク)リソースが、マクロセル(干渉を被るセル)のために予約され、それぞれの予約されたULリソースが、1つまたは複数の(好ましくは1つの)DL(ダウンリンク)リソースに関連付けられる。関連付け情報は、前もってCSGのセルに知られている(例えば、OAMによって構成されるか、セル間のシグナリングによって知らされるか、または物理セル識別情報に従って自動計算によって取得される)。
【００４６】
ステップ302:  UEがCSGのセルに近づき、したがってUEがCSGのセルから強い干渉を受ける。
【００４７】
ステップ303:  UEが、CSGのセルの測定結果を測定レポートでマクロセルにレポートする。
【００４８】
ステップ304:  マクロセルが、UEによってレポートされた測定結果によって、UEがCSGのセルから強い干渉を受けることを知った後、マクロセルが、予約されたULリソースおよび関連するDLリソースを用いることによってUEをスケジューリングする。測定結果は、具体的には、CSGのセルのPCI、メンバーシップ(メンバーであるか否か)、およびRSRPまたはRSRQを含む。マクロセルはCSGのセルのPCIの範囲を知っているので、マクロセルは、UEによってレポートされたメンバーシップおよび信号の測定結果によって、UEがCSGのセルから強い干渉を受けることを判定することができる。
【００４９】
ステップ305:  UEがCSGのセルの基地局に近づくので、CSGのセルの基地局が、CSGのセルに対して、予約されたULリソースでUEによって引き起こされたアップリンクの干渉を検出する。したがって、CSGのセルの基地局は、自身がUEに対するダウンリンクの干渉を引き起こすことを知り、マクロセルが干渉制御のためのULおよびDLリソースを使用することを知ることができる。
【００５０】
ステップ306:  ULリソースとDLリソースの間の前の関連付けの関係によって、CSGのセルの基地局が、UEによって使用されるDLリソースを暗黙的に知り、次いで、このDLリソースのスケジューリングを避け、それによって、UEに対するダウンリンクの干渉を引き起こすことを防止し、UEが干渉を受けず、サービングセルと通信することを保証することができる。
【００５１】
ステップ303におけるマクロセルによる干渉の発見から干渉をもたらすセルの干渉制御まで、対応する処理の遅延は、2つの無線インターフェースを介した送信である。したがって、干渉除去は、迅速に完了され得る。無線インターフェースの送信が1msであり、基地局のスケジューリングが2msであると仮定すると、干渉除去は5〜10ms以内に完了可能であり、これは通常のICICよりも速い。加えて、干渉の調整のための負荷を示すプロセスがバックホールリンク(例えば、LTEのX2インターフェース)で必要とされないので、X2インターフェースは、基地局の間で必ずしも必要とされない。したがって、投資または帯域幅が、節約され得る。
【００５２】
さらに、図4に示されるように、アップリンクリソースがマクロセルのために予約される可能性があり、ダウンリンクリソースがCSGのセルのために予約される可能性がある。具体的には、以下のステップが含まれる。
【００５３】
ステップ401:  1つまたは複数のアップリンク(UL)リソースがマクロセルのために予約され、それらのリソースが前もってCSGのセルに知られ(例えば、OAMによって構成されるか、シグナリングによって知らされるか、または自動計算によって取得され)、1つまたは複数の(好ましくは1つの)ダウンリンク(DL)リソースがCSGのセルのために予約され、それらのリソースが前もってマクロセルに知られる(例えば、OAMによって構成されるか、セル間のシグナリングによって知らされるか、または物理セル識別情報に従って自動計算によって取得される)。
【００５４】
ステップ402:  UEがCSGのセルに近づくので、UEがCSGのセルから強い干渉を受ける。
【００５５】
ステップ403:  UEが、CSGのセルの測定結果を測定レポートでマクロセルにレポートする。
【００５６】
ステップ404:  マクロセルが、UEによってレポートされた測定結果によって、UEがCSGのセルから強い干渉を受けることを知った後、マクロセルが、予約されたULリソースおよびCSGのセルの予約されたDLリソースを用いることによってUEをスケジューリングする。測定結果は、具体的には、PCI、メンバーシップ(メンバーであるか否か)、およびRSRPまたはRSRQを含む。マクロセルはCSGのセルのPCIの範囲を知っているので、マクロセルは、UEによってレポートされたメンバーシップおよび信号の測定結果によって、UEがCSGのセルから強い干渉を受けることを判定することができる。
【００５７】
ステップ405:  UEがCSGのセルの基地局に近づくので、CSGのセルの基地局が、CSGのセルに対して、予約されたULリソースでUEによって引き起こされたアップリンクの干渉を検出する。したがって、CSGのセルの基地局は、自身がUEに対するダウンリンクの干渉を引き起こすことを知り、マクロセルが干渉制御のためのULおよびDLリソースを使用することを知ることができる。
【００５８】
ステップ406:  CSGのセルの基地局が、マクロセルの予約されたULリソースおよびCSGのセルの予約されたDLリソースを用いてそのCSGのセル内でUEをスケジューリングすることを避け、それによって、UEに対するダウンリンクの干渉を引き起こすことを防止し、UEが干渉を受けず、サービングセルと通信することを保証する。
【００５９】
図5に示されるように、1つまたは複数のULリソースおよびDLリソースが、干渉をもたらすセルのために予約される可能性がある。具体的には、以下のステップが含まれる。
【００６０】
ステップ501:  干渉をもたらすセル(CSGのセル)が、1つまたは複数のアップリンク(UL)リソースおよびダウンリンク(DL)リソースを選択する。これらのリソースは、前もって干渉を被るセルに知られている(例えば、OAMによって構成されるか、セル間のシグナリングによって知らされるか、またはPCIに従って自動計算によって取得される)。
【００６１】
ステップ502:  UEがCSGのセルに近づくので、UEがCSGのセルから強い干渉を受ける。
【００６２】
ステップ503:  UEが、CSGのセルの測定結果を測定レポートでマクロセルにレポートする。
【００６３】
ステップ504:  マクロセルが、UEによってレポートされた測定結果によって、UEがCSGのセルから強い干渉を受けることを知った後、マクロセルが、干渉をもたらすセルによって選択されたULリソースおよびDLリソースを用いることによってUEをスケジューリングする。測定結果は、具体的には、PCI、メンバーシップ(メンバーであるか否か)、およびRSRPまたはRSRQを含む。マクロセルはCSGのセルのPCIの範囲を知っているので、マクロセルは、UEによってレポートされたメンバーシップおよび信号の測定結果によって、UEがCSGのセルから強い干渉を受けることを判定することができる。
【００６４】
ステップ505:  UEがCSGのセルの基地局に近づくので、CSGのセルの基地局が、CSGのセルの基地局に対して、選択されたULリソースでUEによって引き起こされたアップリンクの干渉を検出する。したがって、CSGのセルの基地局は、自身がUEに対するダウンリンクの干渉を引き起こすことを知り、マクロセルが干渉制御のためのULおよびDLリソースを使用することを知ることができる。
【００６５】
ステップ506:  CSGのセルが、選択されたULリソースおよびDLリソースを用いてそのCSGのセルのUEをスケジューリングすることを避け、それによって、UEに対するダウンリンクの干渉を引き起こすことを防止し、UEが干渉を受けず、サービングセルと通信することを保証する。
【００６６】
干渉を被るセルが干渉を検出した後、干渉を被るセルが、干渉をもたらすセルによって選択されたULリソースを使用するので、UEが受けた干渉についての情報が、このULリソースを用いることによって干渉をもたらすセルに明確に知らされる。それによって、そのリソースの使用が、効率的に回避でき、送信電力の削減は、カバレッジの縮小を引き起こさない。上述の実施形態と同様に、干渉をもたらすセルが、UEがアクセスすることを禁止されているセル、またはハンドオーバの関係がない(近隣セル関係テーブルにおいて「ハンドオーバなし」として設定された)セルであるとき、UEはそのセルにアクセスすることまたはハンドオーバによってそのセルにアクセスすることを許されないので、やはり干渉が引き起こされる。具体的には、処理が、上述の実施形態に関連して行われ得る。違いは、CSGのセルが、別のアクセスを制限されたセル、例えば、アクセスが禁止されたセルまたはハンドオーバの関係がないセルに変更される点にある。この場合、サービングセルは、アクセスを制限されたセルのセル識別情報を前もって知り、UEがアクセスを制限されたセルから干渉を被ることを、UEの測定レポートによって知る。
【００６７】
加えて、UEが両方のセルへのアクセス権を有する場合、運用者は、起こり得る干渉がさらに防止されるように、リソースの所有者のセルが無線リソースを優先的に占有し、使用し、共有者がそのリソースを使用することを避けることを望む。2つのセルは、重なり合うカバレッジまたは連続的なカバレッジである可能性がある。図6に示されるように、セル1の運用者が周波数の所有者であり、セル1が周波数の所有者のセルであると仮定され、セル2の運用者が周波数の共有者であり、セル2が周波数の共有者のセルであると仮定される。以下のステップが含まれる。
【００６８】
ステップ601:  UL(アップリンク)リソースのすべてまたは一部が、セル1のために予約され、それぞれの予約されたULリソースが、1つまたは複数の(好ましくは1つの)DL(ダウンリンク)リソースに関連付けられる。関連付け情報は、前もってセル2に知られている(例えば、OAMによって構成されるか、セル間のシグナリングによって知らされるか、またはPCIに従って自動計算によって取得される)。
【００６９】
ステップ602:  UEがセル2に近づくので、UEがセル2から強い干渉を受ける可能性がある。
【００７０】
ステップ603:  UEが、セル2の測定結果を測定レポートでセル1にレポートする。
【００７１】
ステップ604:  セル1が、UEによってレポートされた測定結果によって、UEがセル2から強い干渉を受けることを知った後、セル1が、予約されたULリソースおよび関連するDLリソースを用いることによってUEをスケジューリングする。測定結果は、具体的には、PCIおよびRSRPまたはRSRQを含み、セル2のPCIはセル1で予め構成されている。
【００７２】
ステップ605:  UEがセル2に近づくので、セル2が、セル2に対して、予約されたULリソースでUEによって引き起こされたアップリンクの干渉を検出する。したがって、セル2は、自身がUEに対するダウンリンクの干渉を引き起こすことを知り、セル1が干渉制御のためのULおよびDLリソースを使用することを知ることができる。
【００７３】
ステップ606:  ULリソースとDLリソースの間の前の関連付けの関係によって、セル2が、UEによって使用されるDLリソースを暗黙的に知り、次いで、このULリソースおよび対応するDLリソースのスケジューリングを避け、それによって、UEに対するダウンリンクの干渉を引き起こすことを防止し、UEが干渉を受けず、セル1と通信することを保証することができる。
【００７４】
周波数を共有する場合、別の特定の実施形態が存在し、つまり、リソースの所有者のセルおよびリソースの共有者のセルが、共有されたダウンリンクリソースと、共有されたリソースの調整を示すための防止アップリンクリソースとについて合意し、2つのセルの両方が、防止アップリンクリソースと共有されたダウンリンクリソースの間の関連付けの関係を記録する。リソースの所有者のセルが防止アップリンクリソースを使用するとき、リソースの共有者のセルは、検出によってこれを知り、現在の共有されたリソースが利用できないと判定し、そうでなければ、リソースの所有者のセルとのリソースの衝突が発生する。したがって、リソースの共有者のセルは、リソースの所有者のセルが防止アップリンクリソースを使用することを検出するとき、共有されたリソースを用いてユーザ機器をスケジューリングしないように設定される。
【００７５】
加えて、モバイル中継セルの場合、モバイル中継セルが移動するので、モバイル中継セルがいくつかのUEのそばを通るとき、それらのUEがモバイル中継セルにハンドオーバされない場合、UEに対して強い干渉が引き起こされるが、UEがモバイル中継セルにハンドオーバされる場合は、モバイル中継セルが移動し、短時間で離れていく可能性があるので、UEは再び元のセルにハンドオーバされる。結果として、いくつかの問題が生じる。第1の問題は、ハンドオーバの回数が増加することが、ネットワークに対するシグナリングの影響をもたらすことである。第2の問題は、過剰なハンドオーバによって引き起こされるサービスの中断がユーザエクスペリエンスに影響を与えることである。第3の問題は、ハンドオーバの失敗が起こり得ることである。
【００７６】
したがって、この場合、サービングセルが、この実施形態の方法を用いることによって、できる限りUEを引きとどめ、引き起こされる干渉を防止することができる。具体的には、セル1がサービングセル(干渉を被るセル)であり、セル2がモバイル中継セル(干渉をもたらすセル)である図7に示されるように、以下のステップが含まれる。
【００７７】
ステップ701:  UL(アップリンク)リソースの一部が、セル1のために予約され、それぞれの予約されたULリソースが、1つまたは複数の(好ましくは1つの)DL(ダウンリンク)リソースに関連付けられる。関連付け情報は、前もってセル2に知られている(例えば、OAMによって構成されるか、セル間のシグナリングによって知らされるか、またはPCIに従って自動計算によって取得される)。
【００７８】
ステップ702:  UEがセル2に近づくので、UEがセル2から強い干渉を受ける可能性がある。
【００７９】
ステップ703:  UEが、セル2の測定結果を測定レポートでセル1にレポートする。
【００８０】
ステップ704:  セル1が、UEによってレポートされた測定結果によって、UEがセル2から強い干渉を受けることを知った後、セル1が、予約されたULリソースおよび関連するDLリソースを用いることによってUEをスケジューリングする。測定結果は、具体的には、PCIおよびRSRPまたはRSRQを含み、セル2のPCIはセル1で予め構成されている。
【００８１】
ステップ705:  UEがセル2に近づくので、セル2が、セル2に対して、予約されたULリソースでUEによって引き起こされたアップリンクの干渉を検出する。したがって、セル2は、自身がUEに対するダウンリンクの干渉を引き起こすことを知り、セル1が干渉制御のためのULおよびDLリソースを使用することを知ることができる。
【００８２】
ステップ706:  ULリソースとDLリソースの間の前の関連付けの関係によって、セル2が、UEによって使用されるDLリソースを暗黙的に知り、次いで、このULリソースおよび対応するDLリソースのスケジューリングを避け、それによって、UEに対するダウンリンクの干渉を引き起こすことを防止し、UEが干渉を受けず、セル1と通信することを保証することができる。
【００８３】
この実施形態においては、セル1が、セル2がモバイル中継セルであることを前もって知っていることが好ましい。セル1がUEをセル2にハンドオーバしないので、上述の問題が解決され、干渉が防止される。さらに、低電力セルの場合、低電力セルが、10メートルから数10メートルまでの範囲の低電力の小さなカバレッジを有するので、UEが低電力セルのそばを素早く通過するとき、ハンドオーバの回数の増加、ハンドオーバの中断、および起こり得るハンドオーバの失敗を含む、図7に示された実施形態で説明された問題と同様の問題がやはり発生する。したがって、同様の技術的な解決策が採用される可能性があり、セル2が低電力セルであることをセル1が前もって知っていることが好ましい。
【００８４】
本発明の実施形態において、防止アップリンクリソースは、周波数領域のリソースであるか、または時間領域のリソースである可能性がある。加えて、防止ダウンリンクリソースも、周波数領域のリソースであるか、または時間領域のリソースである可能性がある。
【００８５】
さらに、具体的には、防止アップリンクリソースは、予約された周波数領域の範囲、予約された物理リソースブロック、または予約されたサブフレームのいずれか1つである可能性があり、防止ダウンリンクリソースは、予約された周波数領域の範囲、予約された物理リソースブロック、または予約されたサブフレームのいずれか1つである可能性がある。
【００８６】
本発明の特定の実施形態においては、防止アップリンクリソースと防止ダウンリンクリソースとが、防止アップリンクリソースと防止ダウンリンクリソースとの関連付けられたリソースグループを形成するように互いに関連付けられ得る。つまり、防止アップリンクリソースと防止ダウンリンクリソースの両方が、予約された周波数範囲であり、互いに関連付けられるか、または防止アップリンクリソースと防止ダウンリンクリソースの両方が、予約された物理リソースブロックであり、互いに関連付けられるか、または防止アップリンクリソースと防止ダウンリンクリソースの両方が、予約されたサブフレームであり、互いに関連付けられ、さらには、防止アップリンクリソースと防止ダウンリンクリソースとが、互いに関連付けられる予約された周波数帯域と予約されたサブフレームとの組み合わせである可能性があり、つまり、防止アップリンクリソースおよび防止ダウンリンクリソースのうちの一方が予約された周波数範囲であり、他方がその予約された周波数範囲に関連付けられた予約されたサブフレームである。同様に、その他の組み合わせの方式も、そのような組み合わせの方式が2つの近隣のセルの間で予め設定されている限り使用され得る。
【００８７】
具体的には、防止アップリンクリソースと防止ダウンリンクリソースとが互いに関連付けられる予約された周波数範囲であるとき、セルに関して、そのセルのULまたはDL動作周波数範囲からサブセットが選択され、予約されたULリソースまたは紐付けられたDLリソースとして使用される可能性がある。例えば、サブセットは、割合(例えば、10%、20%、30%、または50%)に従って選択される可能性があり、割合は、調整される(実際のネットワーク配置の干渉、またはローカルのセルもしくは干渉をもたらすセルのサービス負荷の状態に基づいて調整される)可能性がある。
【００８８】
特定の実装においては、動作周波数の端の部分(例えば、最大1.25Mhz、最小1.25Mhz、最大5Mhz、および最小5Mhz、またはこれらの任意の組み合わせ)が、選択され得る。
【００８９】
さらに、ULおよびDLリソースは、この実施形態に従って分けられ、関連付けられる可能性がある。図8A、図8B、および図8Cにおいては、ULおよびDLリソースをどのようにして選択し、関連付けるかを説明するための例として、20Mが使用される。図8Aは、アップリンクの周波数帯域およびダウンリンクの周波数帯域をそれぞれどのようにして予約し、関連付けるかを示す。図8Bは、1つのアップリンクの周波数帯域および2つのダウンリンクの周波数帯域をそれぞれどのようにして予約し、関連付けるかを示す。図8Cは、2つのアップリンクの周波数帯域および2つのダウンリンクの周波数帯域をそれぞれどのようにして予約し、関連付けるかを示す。
【００９０】
加えて、防止アップリンクリソースおよび防止ダウンリンクリソースが相互に関連付けられた予約された物理リソースブロックであるとき、ULまたはDLリソースは、1つまたは複数の物理リソースブロックを含む物理リソースブロックグループ(PRBグループ)である可能性があり、または複数の不連続なもしくは連続するPRBである可能性がある。LTEの20MHzのULの帯域幅および20MHzのDLの帯域幅が例として使用される図9Aおよび9Bに示されるように、各PRBによって占有される周波数は180KHzであり、合計で110個のPRBが存在する。図9Aにおいては、第2のUL物理リソースブロックおよび第3のDL物理リソースブロックが、対応して物理リソースブロックグループを形成する。図9Bにおいては、2つのUL物理リソースブロックおよび2つのDL物理リソースブロックが含まれ、それらのULリソースブロックとDLリソースブロックの間で関連付けが確立される。
【００９１】
防止アップリンクリソースおよび防止ダウンリンクリソースが予約されたサブフレームグループであるとき、具体的には、リソースは、セルのULの時間領域においてセルのために予約され得る。LTEを例に取ると、この時間領域は、無線フレーム、サブフレーム、タイムスロット、またはシンボルを単位として測られ得る。
【００９２】
アップリンクに関して、例えば、サブフレームを単位として、干渉を被るセルが干渉を検出するとき、干渉を被るセルは、予約されたアップリンクサブフレーム(例えば、サブフレーム1)でUEをスケジューリングする。干渉をもたらすセルがこの特定のサブフレームがスケジューリングされることを検出するとき、干渉をもたらすセルは、自身が相手側に対する干渉を引き起こすことを知る。
【００９３】
さらに、セルのために、アップリンクリソースが、周波数領域で予約される可能性があり、ダウンリンクリソースが、時間領域で予約される可能性がある。特に、図10に示される実施形態が参照可能である。図10に示されるように、以下のステップが含まれる。
【００９４】
ステップ1001:  1つまたは複数のアップリンク(UL)周波数リソースが、マクロセルのために予約され、それぞれの予約されたULリソースが、1つまたは複数の(好ましくは1つの)ダウンリンク(DL)サブフレームに関連付けられる。関連付け情報は、前もってアクセスを制限されたセルに知られている(例えば、OAMによって構成されるか、セル間のシグナリングによって知らされるか、またはPCIに従って自動計算によって取得される)。
【００９５】
ステップ1002:  UEがアクセスを制限されたセルに近づくので、UEがアクセスを制限されたセルから強い干渉を受ける。
【００９６】
ステップ1003:  UEが、アクセスを制限されたセルの測定結果を測定レポートでマクロセルにレポートする。
【００９７】
ステップ1004:  マクロセルが、UEによってレポートされた測定結果によって、UEがアクセスを制限されたセルから強い干渉を受けることを知った後、マクロセルが、予約されたUL周波数リソースおよび関連するDLサブフレームを用いることによってUEをスケジューリングする。
【００９８】
ステップ1005:  UEがアクセスを制限されたセルに近づくので、アクセスを制限されたセルが、アクセスを制限されたセルに対して、予約されたULリソースでUEによって引き起こされたアップリンクの干渉を検出する。したがって、アクセスを制限されたセルは、自身がUEに対するダウンリンクの干渉を引き起こすことを知り、マクロセルが干渉制御のためのUL周波数およびDLサブフレームを使用することを知ることができる。
【００９９】
ステップ1006:  ULリソースとDLリソースの間の前の関連付けの関係によって、アクセスを制限されたセルが、UEによって使用されるDLサブフレームを暗黙的に知り、次いで、このDLサブフレームを用いてそのアクセスを制限されたセルのUEをスケジューリングすることを避け、それによって、UEに対するダウンリンクの干渉を引き起こすことを防止し、UEが干渉を受けず、サービングセルと通信することを保証することができる。
【０１００】
アクセスを制限されたセルは、干渉が存在するときは、予約されたリソース(DLサブフレーム)を使用せず、干渉が存在しないときは、予約されたリソース(DLサブフレーム)を使用し続け、それによって、DLサブフレームがずっと使用されるわけではない場合に引き起こされる無駄を避け、リソースの利用を改善することができる。
【０１０１】
図11は、無線リソースを関連付けるための方法を示し、LTEの20MHzのULの帯域幅および20MHzのDLの帯域幅が例として使用され、各PRBによって占有される周波数は180KHzであり、合計で110個のPRBが存在する。この実施形態においては、110個のUL PRBは、110個のDL PRBと1対1で対応する。この関連付けは、一方向の関連付けであるか、または双方向の関連付けである可能性がある。PRBは、単純にPRBのシーケンス番号に従って配列され、次いで、関連付けを確立するために同じ順序もしくは逆順で、またはユーザによって定義された規則に従って関連付けられ得る。基地局がUEをスケジューリングするとき、それらのアップリンクおよびダウンリンクリソースが対で使用される。
【０１０２】
図11の関連付けの関係を例に取ると、第5のUL PRBが、UEをスケジューリングするために使用されるとき、ダウンリンクのスケジューリングが必要とされる場合、第5のDL PRBがUEをスケジューリングするために使用される。近隣の基地局がUL PRBの干渉を検出する場合、マッピングの関係に従って、近隣の基地局は、対応するDL PRBを用いてUEをスケジューリングすることを避けるか、または低電力を用いてUEをスケジューリングする。
【０１０３】
本発明の上述の実施形態で述べられたように、基地局は、予約されたULリソース(防止アップリンクリソース)または紐付けられたDLリソース(関連する防止ダウンリンクリソース)を物理セル識別情報PCI(またはPCIグループ)に従って自動的に計算することができる。具体的な計算方法は、以下の通りである。リソースの総数がR個であり、R個の中に、それぞれR0、R1、R2、R3、R4、...、Rxである、予約されたリソースのM個の部分が存在し、x = M -1であると仮定すると、セルのPCIに対応する予約されたリソースのシーケンス番号は、x = PCI mod M、つまり、物理セル識別情報PCIをMで割った余りである。
【０１０４】
PCIグループが使用されるとき、各PCIは特定のPCIグループに属し、LTEにおいては合計で168個のPCIグループが存在し、各PCIは、1〜168のPCIグループのうちの1つのPCIグループに確定的に属する。したがって、次の式、すなわち、x = PCIグループmod Mがやはり使用され得る。
【０１０５】
以下の説明においては、周波数領域が例として使用される。例えば、20MHz内に、合計で110個のPRBが存在し、リソースが11個の部分に分けられる場合、すなわち、M = 11の場合、PCIの計算式を用いることによって、PCI = 121であるセルに関して、x = PCI mod M = 121 mod 11 = 0であることが分かる。そのとき、予約されたULリソースまたは紐付けられたDLリソースは、Rx = R0、つまり、リソースが11個の部分に等しく分けられた後のリソースの第1の部分である。したがって、PCI = 122のセルにおいては、x = PCI mod M = 122 mod 11 = 1である。そのとき、予約されたULリソースまたは紐付けられたDLリソースは、Rx = R1である。
【０１０６】
さらに、時間領域を例に取ると、DLに関して、10個の無線サブフレームの中で、合計6個のsf(サブフレーム)、sf1、sf2、sf3、sf6、sf7、およびsf8が、全リソースRとして使用され、予約されたリソースは、それぞれR0(sf1)、R1(sf2)、R2(sf3)、R3(sf6)、R4(sf7)、およびR5(sf8)であり、M = 6である。式1により、PCI = 121のとき、x = PCI mod M = 121 mod 6 = 1である。そのとき、対応する予約されたリソースは、Rx = R1、つまり、sf2(サブフレーム2)である。ULに関して、10個の無線サブフレームの中で、合計10個のsf(サブフレーム)、sf0、sf1、sf2、sf3、sf4、sf5、sf6、sf7、sf8、sf9が、全リソースRとして使用され、予約されたリソースは、それぞれR0(sf0)、R1(sf1)、R2(sf2)、R3(sf3)、R4(sf4)、R5(sf5)、R6(sf6)、R7(sf7)、R8(sf8)、およびR9(sf9)であり、M = 10である。式1により、PCI = 121のとき、x = PCI mod M = 121 mod 10 = 1である。そのとき、対応する予約されたリソースは、Rx = R1、つまり、sf1(サブフレーム1)である。
【０１０７】
ULおよびDLに関して、異なる方式で計算が行われる可能性がある。例えば、両方が周波数領域に基づく計算を使用するか、または両方が時間領域に基づく計算を使用するか、または一方が周波数領域に基づく計算を使用し、一方が時間領域に基づく計算を使用するか、または一方だけがこの実施形態を適用する。
【０１０８】
加えて、PCIに従って計算を行うことによって防止アップリンクリソースおよび防止ダウンリンクリソースを取得するために、防止リソース構成テーブル(avoided resource configuration table)が、予め定義される可能性がある。このテーブルは、少なくとも2つの列、つまり、インデックスならびに(防止アップリンクリソースおよび防止ダウンリンクリソースを含む)防止リソースを含む。セルの物理セル識別情報が、防止リソース構成テーブルのインデックスを得るために(特に、防止リソース構成テーブルの構成の量、つまり、テーブルのレコードの量である可能性がある)特定の構成パラメータ因子で割られ、さらに、防止リソースが、このインデックスを用いることによって取得される。
【０１０９】
さらに、この実施形態の計算方法が防止アップリンクリソースと防止ダウンリンクリソースの両方に関して使用されるとき、取得される防止アップリンクリソースと防止ダウンリンクリソースとが、関連付けの関係を得るために関連付けられる可能性がある。つまり、セルのPCIが決定される場合、セルの防止アップリンクリソースおよび防止ダウンリンクリソースも決定される。
【０１１０】
本発明のこの実施形態においては、予約されたULリソース(防止アップリンクリソース)および紐付けられたDLリソース(防止ダウンリンクリソース)は、複数のセルによって共有されるか、またはシステム全体によって共有される。その利点は、構成が簡単であること、およびセル内に多くの干渉を被るUEが存在するときに、これらのUEをスケジューリングするために多くのリソースが使用可能であることにある。干渉をもたらすセルがアップリンクおよびダウンリンクリソースをより正確に避け、リソースの利用を高めることを可能にするために、共通のULリソースおよびDLリソースが、それぞれ、複数の部分にさらに分けられ、UL-DLの関連付けが確立される。
【０１１１】
さらに、この共通のULまたはDLは、セルの種類に基づく可能性がある。例えば、CSGのHeNBのセルが、共通の同じ構成を採用し、マクロセルも別の共通の同じ構成を採用するか、または予約されたULリソースが複数のセルによって共有されるか、もしくはシステム全体によって共有され、紐付けられたDLのリソースがセルの粒度に基づく。
【０１１２】
本発明の一実施形態は、さらに、リソース調整処理のための方法を提供する。リソース調整処理のための方法は、干渉をもたらすセルの利用可能なリソースの中で空きダウンリンクリソースを設定し、干渉を被るセルがユーザ機器に対して干渉が引き起こされることを検出するときに、干渉をもたらすセルの物理セル識別情報に従って干渉をもたらすセルの空きダウンリンクリソースを取得することである。具体的なステップに関しては、図12が参照可能である。以下のステップが含まれる。
【０１１３】
ステップ1201:  ユーザ機器に対してダウンリンクの干渉が引き起こされることを検出した後、干渉をもたらすセルの物理セル識別情報に従って干渉をもたらすセルの空きダウンリンクリソースを取得する。
【０１１４】
ステップ1202:  干渉をもたらすセルの空きダウンリンクリソースに従ってユーザ機器をスケジューリングする。
【０１１５】
上述の実施形態で説明されたように物理セル識別情報に従って空きダウンリンクリソースを取得する方式は、干渉をもたらすセルの物理セル識別情報に従って近隣セル情報テーブルから取得することであって、近隣セル情報テーブルに記憶された干渉をもたらすセルの空きダウンリンクリソースが、干渉をもたらすセルの物理セル識別情報に従って計算を行うことによって前もって取得される、取得することであってもよいし、計算の方式を使用することによって干渉をもたらすセルの物理セル識別情報に従って計算を行うことによって取得することであってもよい。
【０１１６】
計算の方式とは、特定の順序で干渉をもたらすセルのすべての予約されたダウンリンクリソースを配列し、干渉をもたらすセルの物理セル識別情報を干渉をもたらすセルの予約されたダウンリンクリソースの数で割ってモジュラスを取得し、モジュラスに対応する予約されたダウンリンクリソースを空きダウンリンクリソースとして使用することであってもよい。空きダウンリンクリソースは、空きサブフレーム、空き物理リソースブロック、または空き周波数範囲である可能性がある。
【０１１７】
加えて、空きダウンリンクリソース構成テーブル(idle downlink resource configuration table)が、事前に定義される可能性があり、このテーブルは、少なくとも2つの列、つまり、インデックスおよび空きダウンリンクリソース構成を含む。セルの物理セル識別情報が、空きダウンリンクリソース構成テーブルのインデックスを得るために(特に、空きダウンリンクリソース構成テーブルの構成の量、つまり、テーブルのレコードの量である可能性がある)特定の構成パラメータ因子で割られ、さらに、空きダウンリンクリソース構成が、このインデックスを用いることによって取得される。
【０１１８】
以下は、防止DLリソースが空きサブフレームであるとの仮定に基づいてPCIに従って防止リソースをどのようにして取得するかを詳細に説明する。(時間領域のサブフレーム、周波数領域のサブフレーム、PRB、および周波数を含む)すべての防止ULおよびDLリソースは、本明細書においてさらに説明されない同様の方法を用いることによって実装され得ることに留意されたい。
【０１１９】
【表１】
0005613952.tif 000002
【０１２０】
PCI = 97であり、構成パラメータ因子= 6であると仮定すると、上述の方法により、構成インデックス = PCI mod  構成パラメータ因子 = 97 mod 6 = 1である。テーブルを検索することによって、構成インデックス = 1の防止DLリソース構成がサブフレーム1および2であることが知られ得る。
【０１２１】
図13は、特定の実施形態を提供する。図13に示されるように、実施形態は、以下のステップを含む。
【０１２２】
ステップ1301:  マクロセルが、CSGのセルのPCIを取得し、PCIに従ってCSGのセルの予約された空きサブフレームを計算し、空きサブフレームをそのマクロセルの近隣セル情報テーブルに記録する可能性がある。
【０１２３】
ステップ1302:  UEがCSGのセルに近づくので、UEがCSGのセルから強い干渉を受ける。
【０１２４】
ステップ1303:  UEが、CSGのセルの測定結果を測定レポートでマクロセルにレポートする。
【０１２５】
ステップ1304:  マクロセルが、UEによってレポートされた測定結果によって、UEがCSGのセルから強い干渉を受けることを知った後、マクロセルが、CSGのセルの予約された空きサブフレームを用いることによってUEをスケジューリングする。具体的には、マクロセルは、PCIの識別情報に従って近隣セル情報テーブルからCSGのセルの予約された空きサブフレームを取得するか、またはステップ1301を実行せず、測定レポートを受信した後、測定レポートから得られたPCIに従って計算を行うことによって空きサブフレームを直接取得する。
【０１２６】
本発明の一実施形態は、UEの支援のもとで実施されるリソース調整処理のための方法も提供する。図14に示されるように、方法は、以下のステップを含む。
【０１２７】
ステップ1401:  干渉が発生するときに、干渉を被るセルによって割り当てられた防止ダウンリンクリソースに従って通信を行う。具体的には、ユーザ機器が干渉をもたらすセルから干渉を被るとき、ユーザ機器が、測定レポートをそのユーザ機器のサービングセル(干渉を被るセル)の基地局に送信し、次いで、干渉を被るセルが、防止ダウンリンクリソースを用いることによってユーザ機器をスケジューリングする。
【０１２８】
ステップ1402:  干渉インジケータを運ぶ干渉指示メッセージを干渉をもたらすセルの基地局に送信し、干渉インジケータは、通信システムによって予め設定され、防止ダウンリンクリソース以外のリソースを用いて干渉をもたらすセルのユーザ機器をスケジューリングするように干渉をもたらすセルに指示するために使用されるインジケータである。ステップ1401に基づいて、ユーザ機器は、干渉インジケータを運ぶ干渉指示メッセージを干渉をもたらすセルの基地局に送信し、防止ダウンリンクリソース以外のリソースを用いて干渉をもたらすセルのユーザ機器をスケジューリングするように干渉をもたらすセルに指示する。それによって、干渉を被るセルのユーザ機器に対して引き起こされる干渉が、防止される。
【０１２９】
この実施形態の防止ダウンリンクリソースは、相手側が防止ダウンリンクリソースを知っている限り、干渉をもたらすセルの防止ダウンリンクリソース、干渉を被るセルの防止ダウンリンクリソース、または共通の予約されたリソースであってよい。
【０１３０】
さらに、この実施形態のステップ1402が実行される前に、干渉指示メッセージを干渉をもたらすセルに送信するようにユーザ機器に指示する、干渉を被るセルの基地局からの通知メッセージが受信される可能性がある。ユーザ機器は、このメッセージを受信した後、ステップ1402を実行する。
【０１３１】
干渉をもたらすセルの基地局によって実行される対応する手順が、図15に示される。図15に示されるように、以下のステップが含まれる。
【０１３２】
ステップ1501:  干渉インジケータを運ぶ干渉指示メッセージをユーザ機器から受信し、干渉インジケータは、通信システムによって予め設定され、防止ダウンリンクリソース以外のリソースを用いて干渉をもたらすセルのユーザ機器をスケジューリングするように干渉をもたらすセルに指示するために使用されるインジケータである。
【０１３３】
ステップ1502:  干渉指示メッセージに従って、防止ダウンリンクリソース以外のリソースを用いて干渉をもたらすセルのユーザ機器をスケジューリングする。
【０１３４】
以下の実施形態は、UEの支援のもとで実施されるリソース調整処理を説明する。具体的には、図16に示されるように、以下のステップが含まれる。
【０１３５】
ステップ1601:  干渉をもたらすセルが、DL(ダウンリンク)リソースを予約する。このリソースは、前もってサービングセルに知られている(例えば、OAMによって構成されるか、セル間のシグナリングによって知らされるか、またはPCIに従って自動計算によって取得される)。
【０１３６】
ステップ1602:  UEが干渉をもたらすセルに近づくとき、UEが干渉をもたらすセルから強い干渉を受ける。
【０１３７】
ステップ1603:  UEが、干渉をもたらすセルの測定結果を測定レポートでサービングセルにレポートする。
【０１３８】
ステップ1604:  サービングセルが、UEによってレポートされた測定結果によって、UEが干渉をもたらすセルから強い干渉を受けることを知った後、サービングセルが、予約されたDLリソースを用いることによってUEをスケジューリングする。
【０１３９】
ステップ1605:  UEが干渉をもたらすセルに近づくので、UEがダウンリンクの干渉を検出するとき、UEが、特定のランダムアクセスチャネル(RACH)メッセージを干渉をもたらすセルに送信し、特定のRACHメッセージによって使用されるプリアンブル(preamble)は予め決められている。例えば、干渉をもたらすセル自身が、干渉をレポートするためのプリアンブルをブロードキャストする。UEは、システムのブロードキャスト情報を読むことによってこのプリアンブルを取得する。
【０１４０】
ステップ1606:  干渉をもたらすセルが特定のプリアンブル(preamble)を使用するRACHメッセージを検出する(干渉をもたらすセルがUEが干渉を被ることを知る)と、干渉をもたらすセルが、予約されたDLリソースをスケジューリングすることを避け、それによって、UEに対するダウンリンクの干渉を引き起こすことを防止し、UEが干渉を受けず、サービングセルと通信することを保証する。
【０１４１】
代替的に、上述のステップ1604において、サービングセルの基地局は、特定のRACHメッセージが開始される必要があることをUEに知らせるためにダウンリンクの命令を使用する可能性があり、またはUEが干渉をもたらすセルの予約されたDLリソースでスケジューリングされることをUEに知らせる。
【０１４２】
上述の方法の実施形態に対応して、装置の実施形態が、本発明によって提供される。装置は、上述の方法の実施形態の手順を実施することができる。
【０１４３】
図17は、本発明によるリソース調整処理のためのデバイスの第1の実施形態の概略的な構造図である。図17に示されるように、デバイスは、第1の決定モジュール11および第1のスケジューリングモジュール12を含む。第1の決定モジュール11は、防止アップリンクリソースを決定するように構成され、防止アップリンクリソースは、ローカルのセルと近隣のセルの間で設定され、干渉の防止または共有されたリソースの調整を行うように近隣のセルに指示するために使用されるアップリンクリソースである。第1のスケジューリングモジュール12は、防止アップリンクリソースに従ってユーザ機器をスケジューリングするように構成される。この実施形態によるリソース調整処理のためのデバイスは、以下の2つの場合に適用され得る。1.  干渉の防止を目的として、防止アップリンクリソースが、干渉をもたらすセルと干渉を被るセルの間で予め設定され、干渉の防止を行うように干渉をもたらすセルに指示するために使用されるアップリンクリソースである。具体的には、ローカルのセルの近隣のセルが限定加入者グループのセル、アクセスが禁止されたセル、ハンドオーバの関係がないセル、モバイル中継セル、または低電力セルであるとき、ローカルのセルのユーザ機器はその近隣のセルにアクセスすることができないので、近隣のセルがローカルのセルに対して干渉を引き起こし、近隣のセルは干渉をもたらすセルであり、ユーザ機器が合意された防止アップリンクリソースを用いることによってスケジューリングされた後、干渉を被るセルのユーザ機器が防止アップリンクリソースを使用することを干渉をもたらすセルが検出するとき、干渉をもたらすセルは、自身がユーザ機器に対して干渉を引き起こすと判定することができ、したがって、干渉の防止を実行することができる。2.  周波数リソースを共有する場合、防止アップリンクリソースが、リソースの所有者のセルとリソースの共有者のセルの間で予め設定され、共有されたリソースの調整を行うようにリソースの共有者のセルに指示するために使用されるアップリンクリソースである。リソースの所有者のセルが得られた防止アップリンクリソースを用いてユーザ機器をスケジューリングすることをリソースの共有者のセルが検出した後、リソースの共有者のセルは、共有された周波数リソースの使用におけるリソースの所有者のセルとの衝突を避けるために共有されたリソースの調整を行うことができ、その結果、リソースの所有者のセルが共有された周波数リソースを優先的に使用し、したがって、干渉が防止される。
【０１４４】
この実施形態によるリソース調整処理のためのデバイスにおいて、第1の決定モジュール11は、第1の決定ユニット111または第2の決定ユニット112を含む。第1の決定ユニット111は、ローカルのセルがリソースの所有者のセルであり、近隣のセルがリソースの共有者のセルであるときに防止アップリンクリソースを決定するように構成され、防止アップリンクリソースは、リソースの所有者のセルとリソースの共有者のセルの間で設定され、リソースの所有者のセルが防止アップリンクリソースを使用するときに防止アップリンクリソースを使用することを避けるようにリソースの共有者のセルに指示するために使用される。第2の決定ユニット112は、干渉を被るセルが防止アップリンクリソースを使用するときに、干渉をもたらすセルが、干渉を被るセルに対して干渉が引き起こされると判定し、防止アップリンクリソースを使用することを避けるように、ローカルのセルが干渉を被るセルであり、近隣のセルが干渉をもたらすセルであるときに防止アップリンクリソースを決定するように構成される。加えて、ローカルのセルが干渉を被るセルであり、近隣のセルが干渉をもたらすセルであるとき、リソース調整処理のためのデバイスは、ユーザ機器によって送信された測定レポートを受信し、ユーザ機器に対して干渉が引き起こされることを、測定レポートによって判定するように構成される干渉判定モジュールをさらに含み得る。
【０１４５】
加えて、この実施形態によるリソース調整処理のためのデバイスは、第2の決定モジュール13および第2のスケジューリングモジュール14をさらに含み得る。モジュールは、防止ダウンリンクリソースを決定するように構成され、防止ダウンリンクリソースは、ローカルのセルの防止ダウンリンクリソース、近隣のセルの防止ダウンリンクリソース、または共通の予約されたリソースであり、防止アップリンクリソースは、ローカルのセルの防止アップリンクリソース、近隣のセルの防止アップリンクリソース、または共通の予約されたリソースである。第2のスケジューリングモジュール14は、防止ダウンリンクリソースに従ってユーザ機器をスケジューリングするように構成される。第1のスケジューリングモジュールと第2のスケジューリングモジュールとが、組み合わされ得る。
【０１４６】
防止アップリンクリソースおよび防止ダウンリンクリソースを取得するために多くの方式が使用される可能性があり、つまり、この実施形態によるリソース調整処理のためのデバイスは、受信モジュール、リソースネゴシエーションモジュール、または計算モジュールをさらに含み得る。受信モジュールは、ローカルのセルおよび近隣のセルのためにOAMサーバによって構成された防止アップリンクリソースを受信し、ならびに/またはローカルのセルおよび近隣のセルのためにOAMサーバによって構成された防止ダウンリンクリソースを受信するように構成される。リソースネゴシエーションモジュールは、近隣のセルの間の直接的もしくは間接的なシグナリングによってローカルのセルおよび近隣のセルのための防止アップリンクリソースをネゴシエーションするように構成され、直接的なシグナリングはX2シグナリングである可能性があり、間接的なシグナリングはS1シグナリングである可能性があり、ならびに/またはリソースネゴシエーションモジュールは、近隣のセルの間の直接的もしくは間接的なシグナリングによってローカルのセルおよび近隣のセルのための防止ダウンリンクリソースをネゴシエーションするように構成される。計算モジュールは、物理セル識別情報に従って計算を行うことによって防止アップリンクリソースを取得し、および/または物理セル識別情報に従って計算を行うことによって防止ダウンリンクリソースを取得するように構成される。
【０１４７】
加えて、この実施形態の防止アップリンクリソースまたは防止ダウンリンクリソースは、近隣セル関係情報テーブル(neighboring cell relation information table)に記憶される可能性があり、つまり、リソース調整処理のためのデバイスが、近隣セル情報テーブルをさらに含む可能性があり、近隣セル関係テーブルは、近隣のセルの物理セル識別情報と近隣のセルの防止アップリンクリソースの間のマッピングの関係を記憶し、および/または近隣のセルの物理セル識別情報と近隣のセルの防止ダウンリンクリソースの間のマッピングの関係を記憶するように構成される。図17に示された実施形態に対応して、本発明は、リソース調整処理のための別のデバイスをさらに提供する。図18に示されるように、本発明は、リソース調整処理のための別のデバイスをさらに提供する。リソース調整処理のためのデバイスは、検出モジュール21および第3のスケジューリングモジュール22を含む。検出モジュール21は、ユーザ機器によって使用された防止アップリンクリソースを検出するように構成され、防止アップリンクリソースは、ローカルのセルと近隣のセルの間で設定され、干渉の防止または共有されたリソースの調整を行うように近隣のセルに指示するために使用されるアップリンクリソースである。第3のスケジューリングモジュール22は、ユーザ機器によって使用された防止アップリンクリソースに従ってユーザ機器に対する干渉の防止または共有されたリソースの調整を行うように構成される。
【０１４８】
具体的には、第3のスケジューリングモジュールは、干渉の防止の場合に適用可能であり、つまり、ローカルのセルが干渉を被るセルであり、近隣のセルが干渉をもたらすセルであるとき、防止アップリンクリソースは、干渉をもたらすセルと干渉を被るセルの間で設定され、干渉の防止を行うように干渉をもたらすセルに指示するために使用される防止アップリンクリソースである。第3のスケジューリングモジュールは、干渉をもたらすセルのダウンリンクの送信電力を削減するように構成された電力調整ユニット、またはユーザ機器によって使用された防止アップリンクリソースに従って関連する防止ダウンリンクリソースを取得し、防止ダウンリンクリソース以外のリソースを用いて干渉をもたらすセルのユーザ機器をスケジューリングするように構成された第1のリソーススケジューリングユニットであって、防止ダウンリンクリソースは、干渉をもたらすセルの防止ダウンリンクリソース、干渉を被るセルの防止ダウンリンクリソース、または共通の予約されたリソースである、第1のリソーススケジューリングユニットを含む。あるいは、リソースを共有する場合、ローカルのセルがリソースの所有者のセルであり、近隣のセルがリソースの共有者のセルであるとき、防止アップリンクリソースは、リソースの所有者のセルとリソースの共有者のセルの間で設定され、共有されたリソースの調整を行うようにリソースの共有者のセルに指示するために使用されるアップリンクリソースである。第3のスケジューリングモジュールは、ユーザ機器によって使用された防止アップリンクリソースに従って関連する防止ダウンリンクリソースを取得し、防止ダウンリンクリソース以外のリソースを用いてリソースの所有者のセルのユーザ機器をスケジューリングするように構成された第2のリソーススケジューリングユニットであって、防止ダウンリンクリソースは、リソースの所有者のセルの防止ダウンリンクリソース、リソースの共有者のセルの防止ダウンリンクリソース、または共通の予約されたリソースである、第2のスケジューリングユニットを含む。
【０１４９】
リソース調整処理のためのデバイスのその他の構造および機能に関しては、上述の方法の実施形態が参照可能であり、本明細書において説明は繰り返されない。
【０１５０】
図19に示されるように、本発明の一実施形態は、リソース調整処理のためのデバイスをさらに提供する。デバイスは、ダウンリンクリソース取得モジュール31および第4のスケジューリングモジュール32を含む。ダウンリンクリソース取得モジュール31は、ユーザ機器に対してダウンリンクの干渉が引き起こされると判定した後、干渉をもたらすセルの物理セル識別情報に従って干渉をもたらすセルの空きダウンリンクリソースを取得するように構成される。第4のスケジューリングモジュール32は、干渉をもたらすセルの空きダウンリンクリソースに従ってユーザ機器をスケジューリングするように構成される。
【０１５１】
この実施形態において、空きダウンリンクリソースは、干渉をもたらすセルの利用可能なリソースの中で設定され、干渉を被るセルがユーザ機器が干渉を被ることを検出するとき、干渉をもたらすセルの空きダウンリンクリソースが、干渉をもたらすセルの物理セル識別情報に従って取得される。
【０１５２】
リソース調整処理のためのデバイスのその他の構造および機能に関しては、上述の方法の実施形態が参照可能であり、本明細書において説明は繰り返されない。
【０１５３】
図20に示されるように、本発明の一実施形態は、リソース調整処理のためのデバイスをさらに提供する。デバイスは、受信モジュール41および第5のスケジューリングモジュール42を含む。受信モジュール41は、干渉インジケータを運ぶ干渉指示メッセージをユーザ機器から受信するように構成され、干渉インジケータは、通信システムによって予め設定され、防止ダウンリンクリソースを用いて干渉をもたらすセルのユーザ機器をスケジューリングすることを避けるように干渉をもたらすセルに指示するために使用されるインジケータである。第5のスケジューリングモジュール42は、干渉指示メッセージに従って、防止ダウンリンクリソースを用いて干渉をもたらすセルのユーザ機器をスケジューリングすることを避けるように構成される。これは、UEの支援のもとで実施されるリソース調整処理のための技術的な解決策である。リソース調整処理のためのデバイスは、干渉をもたらすセルの基地局において、干渉インジケータを運ぶ干渉指示メッセージを干渉を被るユーザ機器から受信し、干渉の防止を行うように構成される。
【０１５４】
図20に示されたリソース調整処理のためのデバイスに対応して、ユーザ機器が、本発明の一実施形態によってさらに提供される。図21に示されるように、ユーザ機器は、通信モジュール51および指示メッセージ送信モジュール52を含む。通信モジュール51は、干渉が発生するときに、干渉を被るセルによって割り当てられた防止ダウンリンクリソースに従って通信を行うように構成される。指示メッセージ送信モジュール52は、干渉インジケータを運ぶ干渉指示メッセージを干渉をもたらすセルの基地局に送信するように構成され、干渉インジケータは、通信システムによって設定され、防止ダウンリンクリソースを用いて干渉をもたらすセルのユーザ機器をスケジューリングすることを避けるように干渉をもたらすセルに指示するために使用されるインジケータである。
【０１５５】
加えて、本発明の一実施形態は、図17から図20に示された実施形態によるリソース調整処理のためのデバイスを含む基地局をさらに提供する。
【０１５６】
リソース調整処理のためのデバイスのその他の構造および機能に関しては、上述の方法の実施形態が参照可能であり、本明細書において説明は繰り返されない。
【０１５７】
本発明の実施形態によって提供されるリソース調整処理のための方法、リソース調整処理のためのデバイス、および基地局、およびユーザ機器は、近隣のセルが限定加入者グループのセル、アクセスが禁止されたセル、ハンドオーバの関係がないセル、モバイル中継セル、または低電力セルであり、ユーザ機器がそのセルにアクセスすることができないために、ユーザ機器に対して干渉が引き起こされやすい場合、およびリソースの所有者のセルが、周波数リソースが共有されるときに、共有された周波数リソースを優先的に使用する場合に適用可能である。本発明の実施形態は、防止アップリンクリソースおよび防止ダウンリンクリソースをスケジューリングに使用することによって、起こり得る干渉の問題を効果的に解決する。
【０１５８】
当業者は、実施形態の方法のステップのすべてまたは一部が、関連するハードウェアに指示を与えるプログラムによって実装され得ることを理解するであろう。プログラムは、コンピュータ可読ストレージ媒体に記憶され得る。プログラムが実行されるとき、実施形態の方法の上述のステップが実行される。ストレージ媒体は、ROM、RAM、磁気ディスク、または光ディスクなどの、プログラムコードを記憶することができる任意の媒体である可能性がある。
【０１５９】
最後に、上述の実施形態は、本発明を限定するのではなく、本発明の技術的な解決策を説明するように意図されているに過ぎないことに留意されたい。本発明が上述の実施形態に関連して詳細に説明されているが、当業者は、当業者が、本発明の実施形態の技術的な解決策の精神および範囲を逸脱することなく、上述の実施形態で説明された技術的な解決策に対する修正をやはり行うことができ、またはそれらの技術的な解決策の一部の技術的な特徴に対して均等な置き換えを行うことができることを理解するに違いない。
【符号の説明】
【０１６０】
11  第1の決定モジュール
12  第1のスケジューリングモジュール
13  第2の決定モジュール
14  第2のスケジューリングモジュール
21  検出モジュール
22  第3のスケジューリングモジュール
31  ダウンリンクリソース取得モジュール
32  第4のスケジューリングモジュール
41  受信モジュール
42  第5のスケジューリングモジュール
51  通信モジュール
52  指示メッセージ送信モジュール
111  第1の決定ユニット
112  第2の決定ユニット
【図１】
0005613952.tif 000003
【図２】
0005613952.tif 000004
【図３】
0005613952.tif 000005
【図４】
0005613952.tif 000006
【図５】
0005613952.tif 000007
【図６】
0005613952.tif 000008
【図７】
0005613952.tif 000009
【図８Ａ】
0005613952.tif 000010
【図８Ｂ】
0005613952.tif 000011
【図８Ｃ】
0005613952.tif 000012
【図９Ａ】
0005613952.tif 000013
【図９Ｂ】
0005613952.tif 000014
【図１０】
0005613952.tif 000015
【図１１】
0005613952.tif 000016
【図１２】
0005613952.tif 000017
【図１３】
0005613952.tif 000018
【図１４】
0005613952.tif 000019
【図１５】
0005613952.tif 000020
【図１６】
0005613952.tif 000021
【図１７】
0005613952.tif 000022
【図１８】
0005613952.tif 000023
【図１９】
0005613952.tif 000024
【図２０】
0005613952.tif 000025
【図２１】
0005613952.tif 000026